(57)【要約】【課題】映像コンテンツのダイジェスト情報を生成する記録再生装置および方法において、ユーザの操作によらなくても自動的にダイジェスト情報生成すること。【解決手段】記録保持された映像コンテンツに含まれる特定画像を検出する検出部と、検出部により特定画像が検出されている間の映像コンテンツをダイジェスト映像として抽出するダイジェスト情報生成部とを具備する。すなわち、記録保持された映像コンテンツに含まれる特定画像または特定のＢＧＭを検出し、これをハイライトシーンに付帯された特徴情報と見なして、その特定画像またはＢＧＭを伴う映像コンテンツ中の部分に関する情報を生成する。【選択図】図１
2006014085.tif 000002
【特許請求の範囲】
【請求項１】
記録保持された映像コンテンツに含まれる特定画像を検出する検出部と、
前記検出部により特定画像が検出されている間の映像コンテンツをダイジェスト映像として抽出するダイジェスト情報生成部と
を具備することを特徴とする記録再生装置。
【請求項２】
前記特定画像が、リプレイの旨を表示する特定画像またはハイライトの旨を表示する特定画像であることを特徴とする請求項１記載の記録再生装置。
【請求項３】
前記特定画像に関する基準情報をあらかじめ取得する基準ハイライトシーン特徴情報取得部をさらに具備することを特徴とする請求項１記載の記録再生装置。
【請求項４】
記録保持された映像コンテンツに含まれる特定ＢＧＭを検出する検出部と、
前記検出部によりＢＧＭが検出されている間の映像コンテンツをダイジェスト映像として抽出するダイジェスト情報生成部と
を具備することを特徴とする記録再生装置。
【請求項５】
前記特定のＢＧＭに関する基準情報をあらかじめ取得する基準ハイライトシーン特徴情報取得部をさらに具備することを特徴とする請求項４記載の記録再生装置。
【請求項６】
記録保持された映像コンテンツに含まれる特定画像を検出するステップと、
前記特定画像が検出されている間の映像コンテンツをダイジェスト映像として抽出するステップと
を具備することを特徴とする記録再生方法。
【請求項７】
記録保持された映像コンテンツに含まれる特定ＢＧＭを検出するステップと、
前記特定ＢＧＭが検出されている間の映像コンテンツをダイジェスト映像として抽出するステップと
を具備することを特徴とする記録再生方法。
【発明の詳細な説明】
【技術分野】
【０００１】
本発明は、映像コンテンツのダイジェスト情報を生成する記録再生装置および方法に係り、特に、ユーザの操作によらなくても自動的にダイジェスト情報生成するのに好適な記録再生装置および方法に関する。
【背景技術】
【０００２】
近年の映像コンテンツ記録再生装置における記録時間や容量の増大化に伴い、各記録された映像コンテンツ（番組）のダイジェストを作成した上でこれを視聴し、さらに詳しく鑑賞するかどうか決めたいような場合が増えている。現状では、例えば、当該番組を再生しながらチャプター情報などを手がかりにして必要部分を視聴し、いわばダイジェストの作成とその視聴が同時進行するようなものになっている。当然、ユーザの記録再生装置に対する操作も煩雑である。
【０００３】
下記特許文献１では、コンテンツの配信元で、配信先であるユーザに協力を求めて再視聴要望の多い部分から優先的に抽出してダイジェストとする「ダイジェスト自動生成装置」が開示されている。または、配信回数（ユーザによる再生指示回数等）の多い部分から優先的に抽出してダイジェストとする装置も開示されている。さらに、抽出で得られたダイジェスト中にシーンの切り替わりを含めないようにする工夫について言及がある。
【特許文献１】特開２００４−７３４２号公報
【発明の開示】
【発明が解決しようとする課題】
【０００４】
本発明は、上記の事情を考慮してなされたもので、映像コンテンツのダイジェスト情報を生成する記録再生装置および方法において、ユーザの操作によらなくても自動的にダイジェスト情報生成することが可能な記録再生装置および方法を提供することを目的とする。
【課題を解決するための手段】
【０００５】
上記の課題を解決するため、本発明に係る記録再生装置は、記録保持された映像コンテンツに含まれる特定画像を検出する検出部と、前記検出部により特定画像が検出されている間の映像コンテンツをダイジェスト映像として抽出するダイジェスト情報生成部とを具備することを特徴とする。
【０００６】
また、本発明に係る別の記録再生装置は、記録保持された映像コンテンツに含まれる特定ＢＧＭを検出する検出部と、前記検出部によりＢＧＭが検出されている間の映像コンテンツをダイジェスト映像として抽出するダイジェスト情報生成部とを具備することを特徴とする。
【０００７】
すなわち、これらの記録再生装置では、記録保持された映像コンテンツに含まれる特定画像または特定のＢＧＭを検出し、これをハイライトシーンに付帯された特徴情報と見なして、その特定画像またはＢＧＭを伴う映像コンテンツ中の部分に関する情報を生成する。この生成された情報に基づけば、映像コンテンツ中のハイライトシーンの集合としてダイジェストを得ることができる。したがって、ユーザの操作によらなくても自動的にダイジェスト情報生成することが可能である。
【０００８】
なお、「ダイジェスト画像として抽出」には、映像コンテンツ中の場所を示すことのほかに、映像コンテンツ中のその部分を継ぎ合わせた番組ダイジェスト自体の場合も含まれる。
【０００９】
また、本発明に係る記録再生方法は、記録保持された映像コンテンツに含まれる特定画像を検出するステップと、前記特定画像が検出されている間の映像コンテンツをダイジェスト映像として抽出するステップとを具備することを特徴とする。また、本発明に係る別の記録再生方法は、記録保持された映像コンテンツに含まれる特定ＢＧＭを検出するステップと、前記特定ＢＧＭが検出されている間の映像コンテンツをダイジェスト映像として抽出するステップとを具備することを特徴とする。これらの記録再生方法は、それぞれ上記の記録再生装置に対応する方法である。
【発明の効果】
【００１０】
本発明によれば、映像コンテンツのダイジェスト情報を生成する記録再生装置および方法において、ユーザの操作によらなくても自動的にダイジェスト情報生成することが可能になる。
【発明を実施するための最良の形態】
【００１１】
本発明の実施態様として、前記特定画像はリプレイの旨を表示する特定画像またはハイライトの旨を表示する特定画像である、とすることができる。例えばスポーツ番組などでは「リプレイ」や「ハイライト」などの旨の特定画像を含む画像が多く挿入される。これらの表示を伴った番組部分は一般に注目度が高いので番組ダイジェストとして抽出されるべき部分と考えられる。そこでその特定画像を利用するものである。
【００１２】
また、実施態様として、前記特定画像または特定のＧＢＭに関する基準情報をあらかじめ取得する基準ハイライトシーン特徴情報取得部をさらに具備する、としてもよい。あらかじめ取得しておくことで、より多くの記録保持された映像コンテンツに対してダイジェスト情報の生成が可能になる。取得先としては、インターネットを介する特定のサーバからの取得、放送業者からの放送波に含まれた情報としての取得、すでに記録保持された映像コンテンツ中に含まれた特定画像または特定ＢＧＭからの情報取得などが考えられる。
【００１３】
以上を踏まえ、以下では本発明の実施形態を図面を参照しながら説明する。図１は、本発明の一実施形態に係る記録再生装置の構成を示すブロック図である。図１に示すように、この装置は、番組記録保持部１１、基準ハイライトシーン特徴情報保持部１２、ハイライトシーン特徴情報検出部１３、ダイジェスト情報生成部１４、ダイジェスト情報保持部１５、基準ハイライトシーン特徴情報取得部１６を有する。
【００１４】
番組記録保持部１１は、テレビ番組などの番組（＝映像コンテンツ：以下「番組」と記載することにより記録保持されたデータとしての番組を意味する場合を含む。）を記録保持する部分であり、例えばハードディスク、ＤＶＤなどの利用を想定することができる。図示するように番組Ａ、Ｂ、…と多数の番組を記録保持することができる。新たに番組が録画されると、録画されたその番組は、その番組中にハイライトシーン特徴情報が含まれているか否かの検出のためハイライトシーン特徴情報検出部１３に送られる。また、場合により、録画された任意の番組から新たな基準ハイライトシーン特徴情報としたい部分の情報を取り出すため、その番組は基準ハイライトシーン情報取得部１６に送られる。
【００１５】
基準ハイライトシーン特徴情報保持部１２は、基準となるハイライトシーン特徴情報を保持する記憶領域である。図示するように、多数の基準ハイライトシーン特徴情報が保持され得、そのそれぞれは、例えばある特定の番組ごとの情報として保持されている。各基準ハイライトシーン特徴情報のデータ構造例については後述する（図２）。保持された基準ハイライトシーン特徴情報は、ハイライトシーン特徴情報検出部１３に、その検出動作のため送られ得る。また、新たな基準ハイライトシーン特徴情報が基準ハイライトシーン特徴情報取得部１６から供給されると、この保持動作を行う。
【００１６】
ハイライトシーン特徴情報検出部１３は、番組記録保持部１１から送られたきたある番組についてその内容にハイライトシーン特徴情報が含まれているか否かを検出するものである。そのときの基準となるハイライトシーン特徴情報は、基準ハイライトシーン情報保持部１２から送られる。ハイライトシーン特徴情報が検出されるとその結果はダイジェスト情報生成部１４にもたらされる。
【００１７】
ダイジェスト情報生成部１４は、ハイライトシーン特徴情報検出部１３からもたらされた検出結果に基づき、番組のダイジェスト情報を生成するものである。ここで、ダイジェスト情報とは、番組中の特定の部分に関する情報であり、例えば番組中の場所を示す情報であるとする場合、番組中のその部分を継ぎ合わせた番組ダイジェスト自体であるとする場合のいずれもあり得る。ダイジェスト情報生成部１４で生成されたダイジェスト情報は、ダイジェスト情報保持部１５に送られる。
【００１８】
ダイジェスト情報保持部１５は、送られたダイジェスト情報を記憶しておく記憶部である。具体的態様としては、そのデータサイズに応じて、番組記録保持部１１と同様な記憶媒体を利用する、または不揮発性半導体メモリを利用するなどとすることができる。
【００１９】
基準ハイライトシーン特徴情報取得部１６は、新たな基準ハイライトシーン特徴情報を取得するデータの収集部である。取得先としては、図示するように、インターネットを介する特定のサーバからの取得、放送業者からの放送波に含まれた情報としての取得、すでに番組記録保持部１１に記録保持された番組中に含まれた情報からの、ユーザに指示による取得などが考えられる。基準ハイライトシーン特徴情報取得部１６で取得された基準ハイライトシーン特徴情報は、基準ハイライトシーン特徴情報保持部１２に送られる。
【００２０】
図２は、図１中に示した基準ハイライトシーン特徴情報におけるデータ構造の一例を示す図である。図示するように、基準ハイライトシーン特徴情報２１は、例えば、番組識別情報２１ａ、特定画像の有無情報２１ｂ、表示位置情報２１ｃ、形状方法２１ｄ、特定ＢＧＭの有無情報２１ｅ、種類情報２１ｆが縦続するデータ構造である。
【００２１】
番組識別情報２１ａは、ある特定の番組を示す情報（ＩＤ情報）である。この情報によりどの番組の基準ハイライトシーン特徴情報であるかが識別できる。特定画像の有無情報２１ｂは、その番組において特定マークを含む画像（特定画像）が使われているか否かを示す情報である。特定画像の例としては、すでに述べたようにリプレイの旨を表示するマークのある画像またはハイライトの旨を表示するマークのある画像を列挙することができる。表示位置情報２１ｃは、そのマークが画像（画面）上のどの位置に表示されるかを示す情報である。形状情報２１ｄは、そのマークの形状を示す情報である。表示位置情報２１ｃおよび形状情報２１ｄは、ハイライトシーン特徴情報検出部１３の検出動作に利用され得る。
【００２２】
特定ＢＧＭの有無情報２１ｅは、その番組において特定のＢＧＭが使用されているか否かを示す情報である。種類情報２１ｆは、その特定のＢＧＭが有する属性に関する情報であり、例えば曲の一部の音声、曲名などを示す情報である。種類情報２１ｅもハイライトシーン特徴情報検出部１３の検出動作に利用され得る。
【００２３】
図３は、図１中に示したダイジェスト情報生成部１４における動作例を説明するための説明図である。図３左側に示すように、番組記録保持部１１に例えばスポーツ番組３１が記録保持されており、その内容の一部にリプレイマークを含む画像またはハイライトマークを含む画像が存在する旨がハイライトシーン特徴情報検出部１３からもたらされると、ダイジェスト情報生成部１４は、その場所をそれぞれ開始点、終了点の時間情報として特定する。この特定で得られたリストは、図３右側に示すように、ダイジェスト情報としてのプレイリスト３２になる。プレイリスト３２は、ダイジェスト情報保持部１５に送られ保持される。プレイリスト３２がダイジェスト情報保持部１５に保持されると、ユーザはこの情報を呼び出しそのリストに従う番組の再生によりダイジェスト化された番組を視聴できる。
【００２４】
または、プレイリスト３２に代えて、特定された開始点から終了点までを抜き出して編集したダイジェスト番組を直接生成するようにしてもよい。この場合も生成されたダイジェスト番組はダイジェスト情報保持部１５に送られ保持される。ユーザは、これを再生することによりダイジェスト番組を視聴できる。
【００２５】
図４は、図１中に示したダイジェスト情報生成部１４における別の動作例を説明するための説明図である。図４左側に示すように、番組記録保持部１１に例えばドラマ番組４１が記録保持されており、その内容の一部に特定のＢＧＭを含む部分が存在する旨がハイライトシーン特徴情報検出部１３からもたらされると、ダイジェスト情報生成部１４は、その場所をそれぞれ開始点、終了点の時間情報として特定する。この特定で得られたリストは、図４右側に示すように、ダイジェスト情報としてのプレイリスト４２になる。プレイリスト４２は、ダイジェスト情報保持部１５に送られ保持される。プレイリスト４２がダイジェスト情報保持部１５に保持されると、ユーザはこの情報を呼び出しそのリストに従う番組の再生によりダイジェスト化された番組を視聴できる。
【００２６】
または、図３での説明と同様に、プレイリスト４２に代えて、特定された開始点から終了点までを抜き出して編集したダイジェスト番組を直接生成するようにしてもよい。この場合も生成されたダイジェスト番組はダイジェスト情報保持部１５に送られ保持される。ユーザは、これを再生することによりダイジェスト番組を視聴できる。
【００２７】
図５は、図１に示した記録再生装置の全体としての動作フロー例を示す流れ図である。以下では、図５をも参照して、記録再生装置全体としての一連の動作を説明する。
【００２８】
まず、ある番組の録画が行われる（ステップ５１）。すなわちその番組は番組記録保持部１１に記録保持される。次に、自動的に（当然ユーザの指示操作により、とすることも可能）、その録画された番組に対応する基準ハイライトシーン特徴情報２１がその保持部１２に保持されているか否かが例えば番組識別情報２１ａを手掛かりに調べられる（ステップ５２）。この対応する基準ハイライトシーン特徴情報２１は、その番組の放送波に含まれて基準ハイライトシーン特徴情報取得部１６を介して基準ハイライトシーン特徴情報保持部１２に保持されている場合もある。
【００２９】
基準ハイライトシーン特徴情報保持部１２に、録画された番組に対応する基準ハイライトシーン特徴情報が保持されていなければ（ステップ５２のＮ）これを利用することができずダイジェスト情報を生成することは不可能なので終了する。保持されていれば（ステップ５２のＹ）、その基準ハイライトシーン特徴情報２１の中にある特定マーク画像の有無情報２１ｂが「有」であるか否かが調べられる（ステップ５３）。
【００３０】
「有」である場合には（ステップ５３のＹ）、録画されたその番組を頭から読み出していく（ステップ５４）。そして、ハイライトシーン特徴情報検出部１３で、読み出されたそのシーンに基準ハイライトシーン特徴情報２１の表示位置情報２１ｃ、形状情報２１ｄに一致するマーク画像があるか否かが調べられる（ステップ５５）。ここで「一致」しているかどうかの判断は、表示位置情報２１ｃ、形状情報２１ｄの情報としての保存形式に依存して行うことができる。例えば、その保存形式と同様の情報に、判断対象のシーンにあるマークについても変換すれば同種の情報の比較として判断できる。
【００３１】
一致するマーク画像がない場合は（ステップ５５のＮ）、ステップ５４に戻り録画されたその番組の読み出し位置をフレーム更新して同様にステップ５５の処理を行う。一致するマーク画像がある場合は（ステップ５５のＹ）、その開始点、終了点を、ダイジェスト情報生成部１４ですでに説明したようにして特定する（ステップ５６）。特定したら、録画した番組の最後に至っていない限り（ステップ５７のＮ）、ステップ５４に戻り同様に処理を続ける。番組の最後に至っていれば（ステップ５７のＹ）処理を終了する。
【００３２】
ステップ５３において、基準ハイライトシーン特徴情報２１の中にある特定画像の有無情報２１ｂが「有」ではない場合には、次に、その基準ハイライトシーン特徴情報２１の中にある特定ＢＧＭの有無情報２１ｅが「有」であるか否かが調べられる（ステップ５８）。「有」ではない場合には（ステップ５８のＮ）、ダイジェスト情報を生成できないものとして処理を終了する。
【００３３】
「有」である場合には（ステップ５８のＹ）、録画されたその番組を頭から読み出していく（ステップ５９）。そして、ハイライトシーン特徴情報検出部１３で、読み出されたその部分に基準ハイライトシーン特徴情報２１の種類情報２１ｆに一致するＢＧＭがあるか否かが調べられる（ステップ６０）。ここで「一致」しているかどうかの判断は、種類情報２１ｆの情報としての保存形式に依存して行うことができる。例えば、その保存形式と同様の情報に、判断対象の部分にあるＢＧＭについても変換すれば同種の情報の比較として判断できる。その変換には、例えば所定の音楽データベース（不図示）の利用が考えられる。
【００３４】
一致するＢＧＭがない場合には（ステップ６０のＮ）、ステップ５９に戻り録画されたその番組の読み出し位置を更新して同様にステップ６０の処理を行う。一致するＢＧＭがある場合は（ステップ６０のＹ）、その開始点、終了点を、ダイジェスト情報生成部１２ですでに説明したようにして特定する（ステップ６１）。特定したら、録画した番組の最後に至っていない限り（ステップ６２のＮ）、ステップ５９に戻り同様に処理を続ける。番組の最後に至っていれば（ステップ６２のＹ）処理を終了する。
【００３５】
以上説明のように、本実施形態によればユーザの操作によらなくても自動的にダイジェスト情報生成することが可能である。
【００３６】
なお、図５における動作説明では、すでに番組記録保持部１１に記録保持された番組中に含まれた情報からの、ユーザの指示による基準ハイライトシーン特徴情報の取得の動作が示されないが、例えば次のように行うことができる。記録保持されたある番組をユーザが視聴して、ハイライトシーンの特徴情報として使えそうな画像や音楽を見つけた場合には、ユーザがその画像や音楽の選択・抽出の指示操作を行う。例えば、特定画像であれば、画面上ｘ軸ｙ軸方向の選択枠による選択・抽出、音楽であれば、その音声に対する一部の範囲の選択・抽出である。選択・抽出された画像や音楽は、基準ハイライトシーン特徴情報取得部で、基準ハイライトシーン特徴情報１２としての保存形式にされ基準ハイライト特徴情報保持部１２で保持される。
【図面の簡単な説明】
【００３７】
【図１】本発明の一実施形態に係る記録再生装置の構成を示すブロック図。
【図２】図１中に示した基準ハイライトシーン特徴情報におけるデータ構造の一例を示す図。
【図３】図１中に示したダイジェスト情報生成部における動作例を説明するための説明図。
【図４】図１中に示したダイジェスト情報生成部における別の動作例を説明するための説明図。
【図５】図１に示した記録再生装置の全体としての動作フロー例を示す流れ図。
【符号の説明】
【００３８】
１１…番組記録保持部、１２…基準ハイライトシーン特徴情報保持部、１３…ハイライトシーン特徴情報検出部、１４…ダイジェスト情報生成部、１５…ダイジェスト情報保持部、１６…基準ハイライトシーン特徴情報取得部、２１…基準ハイライトシーン特徴情報、２１ａ…番組識別情報、２１ｂ…特定画像の有無情報、２１ｃ…表示位置情報、２１ｄ…形状情報、２１ｅ…特定ＢＧＭの有無情報、２１ｆ…種類情報、３１…スポーツ番組、３２…プレイリスト、４１…ドラマ番組、４２…プレイリスト。
【図１】
2006014085.tif 000003
【図２】
2006014085.tif 000004
【図３】
2006014085.tif 000005
【図４】
2006014085.tif 000006
【図５】
2006014085.tif 000007